(57)【要約】【課題】穴の大きさに関わらず、全ての穴あきシートの引っ掛かりを効果的に防止して、シートの無駄を無くすことができるシート処理装置の提供を目的としている。【解決手段】本発明のシート処理装置Ａは、シートを搬送する第１の搬送経路２４０ａおよび第２の搬送経路２５０と、第１の搬送経路２４０ａと第２の搬送経路２５０とが合流する下流側に位置する第３の搬送経路２４０ｂと、第３の搬送経路２４０ｂの下流側に位置し且つシートを一時的にスタックしてステイプル処理等の後処理を施すステイプラトレイ４０２とを備え、穴あきシートを第２の搬送経路２５０に導き、前記穴あきシートに続いて装置内に導入される穴なしシートを第１の搬送経路２４０ａに導き、前記穴あきシートと前記穴なしシートとを重ね合わせた状態で第３の搬送経路２４０ｂへと導く制御を行なうことを特徴とする。【選択図】    図１
2006062813.tif 000002
【特許請求の範囲】
【請求項１】
シートを搬送する第１の搬送経路および第２の搬送経路と、前記第１の搬送経路と前記第２の搬送経路とが合流する下流側に位置する第３の搬送経路と、前記第３の搬送経路の下流側に位置し且つシートを一時的にスタックしてステイプル処理等の後処理を施すステイプラトレイとを備えるシート処理装置において、
穴あきシートを前記第２の搬送経路に導き、前記穴あきシートに続いて装置内に導入される穴なしシートを前記第１の搬送経路に導き、前記穴あきシートと前記穴なしシートとを重ね合わせた状態で前記第３の搬送経路へと導く制御を行なうことを特徴とするシート処理装置。
【請求項２】
前記第１の搬送経路を通ったシートが前記ステイプラトレイ内で上側にスタックされるように、前記第２の搬送経路が配置されていることを特徴とする請求項１に記載のシート処理装置。
【請求項３】
前記第２の搬送経路は、前記第３の搬送経路でシートに後処理が施されている間に装置内に導入されるシートを一時的にスタックしておく機能を有していることを特徴とする請求項１または請求項２に記載のシート処理装置。
【請求項４】
シートの穴あきの有無を指定できる操作が可能な操作パネルを更に備えていることを特徴とする請求項１ないし請求項３のいずれか１項に記載のシート処理装置。
【請求項５】
穴あきシートが装置内に連続して導入されることを禁止する表示を出すことを特徴とする請求項１ないし請求項４のいずれか１項に記載のシート処理装置。
【発明の詳細な説明】
【技術分野】
【０００１】
本発明は、複写機、プリンタ、ファクシミリ等の画像形成装置やシート後処理装置等、シートに所定の処理を施すことができるシート処理装置に関する。
【背景技術】
【０００２】
一般に、ルーズリーフ等の穴あきシートを画像形成シートとして用いた場合には、排紙の際に、先行シートの穴に後行シートの先端角が引っ掛かりを起こして円滑な排紙を行なうことができないといった事態が生じる場合がある。そのため、例えば特許文献１では、排紙位置を配備幅方向に変位させることにより、先行シートの穴の位置から後行シートの先端部角の位置をずらして、前述した事態を回避するようにしている。
【０００３】
【特許文献１】特開２００２−１２３６１号公報
【発明の開示】
【発明が解決しようとする課題】
【０００４】
しかしながら、図２に示されるように窓枠のような大きな穴６００があいているシートＳにあっては、特許文献１に開示された技術といえども、シートの引っ掛かりを防止することは難しい。したがって、シートの後端が揃わず、綴じ抜け等が発生して、シート束を無駄にしてしまう場合もある。
【０００５】
本発明は、前記事情に着目してなされたものであり、その目的とするところは、穴の大きさに関わらず、全ての穴あきシートの引っ掛かりを効果的に防止して、シートの無駄を無くすことができるシート処理装置を提供することにある。
【課題を解決するための手段】
【０００６】
前記課題を解決するために、請求項１に記載された発明は、シートを搬送する第１の搬送経路および第２の搬送経路と、前記第１の搬送経路と前記第２の搬送経路とが合流する下流側に位置する第３の搬送経路と、前記第３の搬送経路の下流側に位置し且つシートを一時的にスタックしてステイプル処理等の後処理を施すステイプラトレイとを備えるシート処理装置において、穴あきシートを前記第２の搬送経路に導き、前記穴あきシートに続いて装置内に導入される穴なしシートを前記第１の搬送経路に導き、前記穴あきシートと前記穴なしシートとを重ね合わせた状態で前記第３の搬送経路へと導く制御を行なうことを特徴とする。
【０００７】
また、請求項２に記載された発明は、請求項１に記載された発明において、前記第１の搬送経路を通ったシートが前記ステイプラトレイ内で上側にスタックされるように、前記第２の搬送経路が配置されていることを特徴とする。
【０００８】
また、請求項３に記載された発明は、請求項１または請求項２に記載された発明において、前記第２の搬送経路は、前記第３の搬送経路でシートに後処理が施されている間に装置内に導入されるシートを一時的にスタックしておく機能を有していることを特徴とする。
【０００９】
また、請求項４に記載された発明は、請求項１ないし請求項３のいずれか１項に記載された発明において、シートの穴あきの有無を指定できる操作が可能な操作パネルを更に備えていることを特徴とする。
【００１０】
また、請求項５に記載された発明は、請求項１ないし請求項４のいずれか１項に記載された発明において、穴あきシートが装置内に連続して導入されることを禁止する表示を出すことを特徴とする。
【発明の効果】
【００１１】
本発明のシート処理装置によれば、穴の大きさに関わらず、全ての穴あきシートの引っ掛かりを効果的に防止して、シートの無駄を無くすことができる。
【発明を実施するための最良の形態】
【００１２】
以下、図面を参照しながら、本発明の一実施形態について説明する。
【００１３】
図１には、本発明の一実施形態に係るシート処理装置Ａが示されている。このシート処理装置Ａは、複写機本体１と、シート後処理装置２とから成る。複写機本体１より排出されたコピーシートは、シート後処理装置２の入口ガイド板２０１に搬入され、搬送ローラ２０２、２０３によってシート後処理装置２内に搬送される。
【００１４】
複写機本体１の操作部においてノンステイプルモードが選択された場合には、シートは分岐爪２１１、２２１を通過して（通常、分岐爪２１１、２２１は。ノンステイプル搬送経路２２０へとシートを導くように方向付けられている）、排紙ローラ２２３によって下側積載トレイ３０１および上側積載トレイ３２１上に排出されて積載される。この時、排紙ガイド板２３１は閉じられた状態にある。
【００１５】
下側積載トレイ３０１および上側積載トレイ３２１はそれぞれ、独立した駆動部（図示せず）により昇降移動可能に設けられており、排紙ローラ２２３のシート排出位置に移動可能である。選択される排出モードによって上側および下側積載トレイ３０１、３２１が移動して、シートが排出されるべき積載トレイを切換えることができるようになっている。
【００１６】
複写機本体１の操作部において割込みトレイ排出モードが選択された場合には、分岐爪２１１が回転し、シートは、割込みトレイ搬送経路２１０に搬送されるとともに、排紙ローラ２１３によって割込みトレイ２１４に排出され、積載される。
【００１７】
複写機本体１の操作部においてステイプルモードが選択された場合には、分岐爪２２１が動作して、シートをステイプル搬送経路２４０に搬入させ、更に、シートは、ステイプルトレイ排出ローラ２４２によってステイプラトレイ４０２に排出積載される。ステイプラトレイ４０２に排出されたシートは、たたきコロ２６０によって１枚毎にステイプラトレイ４０２の下方向に落とされ、シート後端基準フェンス４１０に押し当てられて、後端が整合される。更に、シートは、ジョガーフェンス４２２によって１枚毎に幅方向が整合される。
【００１８】
ステイプルモード選択時には、排紙ガイド板２３１がカム２３４の回転によってリンク２３３を介して開いた状態にあり、シート後端の綴じを選択した場合、ジョガーフェンス４２２によって最終シートが整合された後、端面綴じステイプラ４０１によってシート束の後端の所定の位置に１箇所または２箇所の綴じ処理が施される。綴じ処理が施されたシート束は、図示しない放出爪によって排紙ローラ２２３まで持ち上げられ、停止した後、排紙ガイド板２３１がカム２３４の回転によって閉じた状態になり、リンク２３３の内部にある図示しないスプリングによって排紙ローラ２２３に加圧され、排紙ローラ２２３によって下側積載トレイ３０１および上側積載トレイ３２１に排出されて積載される。
【００１９】
ステイプルモード選択時、中綴じが選択された場合は、ジョガーフェンス４２２によって最終シートが整合された後、所定の間隔（本実施形態においては、１２０ｍｍ）を隔てて設けられている２個の中綴じステイプラ４０３によってシート束の中央部に２箇所の綴じ処理が施される。更に、前記放出爪によって上方に持ち上げられ、中綴じステイプラ４０３によって綴じられた針の位置が所定の位置に達すると停止し、開いた状態にある排紙ガイド板２３１が閉じた状態になりシート束先端付近を挟み込み、更に排紙ローラ２２３の駆動モータ（図示せず）がロックして排紙ローラ２２３が固定されてシート束先端部を固定し、折りプレート４６６がシート束の針位置を対向する折りローラ４５１、４５２方向に押圧し、折りローラ４５１、４５２によってシート中央部に折り処理を施した後、シート束を積載トレイ３０１に排出して積載させる。シート束先端部を排紙ガイド板２３１によって固定することにより、折りプレート４６６が押すことで生じる撓みによるシート束の移動は、固定されていないシート束の後端方向からのみとなり一定することにより、折り位置が安定する。また、排紙ローラ２１１をロックすることにより排紙ガイド板２３１によるシート束の固定を確実にすることができる。
【００２０】
ステイプルモード選択時、複数部数が選択された場合は、２部目以降の先頭ページのシートは、プレスタック分岐爪２５１が動作してシートをプレスタック搬送経路（第２の搬送経路）２５０に搬入させ、シート先端が搬送ローラ２４１ｃに係る手前でプレスタックローラ２５２にて一時停止を行ない、前の部のステイプラトレイ４０２内のシート束が無くなるのを待っている。
【００２１】
２ページ目のシートが通常通り第１のステイプル搬送経路（第１の搬送経路）２４０ａに搬入された時、プレスタック搬送経路２５０内に停止しているシートは、シート先端が２ページ目のシートと搬送ローラ２４１ｃの位置でほぼ同じになるタイミングで動作し、重ね合わされた状態で第２のステイプル搬送経路（第３の搬送経路）２４０ｂに搬送され、ステイプラトレイ排出ローラ２４２によってステイプラトレイ４０２に排出されて積載される。図３に示されるように、選択されているシートの種類が穴あきシートでない（穴なしシートである）場合は、常に先頭ページのみがプレスタック搬送経路２５０に導かれる制御が行なわれる（図７のステップＳ１〜ステップＳ４参照）。
【００２２】
ステイプルモード選択時、穴あきシート（例えば図２のようなシート）が選択されている場合は、選択部数や先頭ページ等に関係なく、穴あきシートは常にプレスタック搬送経路２５０に搬入され、シート先端が搬送ローラ２４１ｃに係る手前でプレスタックローラ２５２にて一時停止を行なう（図７のステップＳ５〜ステップＳ８参照）。
【００２３】
穴あきシートの次のシートが通常通り第１のステイプル搬送経路２４０ａに搬入された時、プレスタック搬送経路２５０内に停止している穴あきシートは、シート先端が次のシートと搬送ローラ２４１ｃの位置でほぼ同じになるタイミングで動作し、重ね合わされた状態で第２のステイプル搬送経路２４０ｂに搬送され、ステイプラトレイ排出ローラ２４２によってステイプラトレイ４０２に排出されて積載される。
【００２４】
穴あきシートが最終シートである場合、通常通り第１のステイプル搬送経路２４０ａに搬入され、ステイプラトレイ排出ローラ２４２によってステイプラトレイ４０２に排出されて積載される。
【００２５】
図４に示されるように、選択されているシートが穴あきシートである場合、最終ページ以外は全て、プレスタック搬送経路２５０に導かれる。
【００２６】
穴あきシートを選択する場合の動作を以下に説明する。
【００２７】
穴あきシートを含んだシート束にステイプルを施して仕上げたい場合、作業者は、図１に示す給紙トレイ１ａ、１ｂ、１ｃのいずれかに穴あきシートをセットする。次に、図５に示すように、操作部上の「用紙設定」ボタン５００を押すと、操作パネル５１０上に設定項目が表示される。
【００２８】
操作パネル５１０上に表示されている「１．給紙トレイ設定」（図５の（ａ）参照）を選択することにより、穴あきシートがどの給紙トレイにセットされているかを予め設定しておく（図５の（ａ）〜（ｃ）参照）。
【００２９】
次に、図６の（ａ）〜（ｆ）に示されるように、「２．給紙用紙設定」を選択することにより、どのようなシートをシート束のどの位置に配置するかを設定することができる。この時、ステイプルモードを選択した場合は、穴あきシートを所定のページに選択した時、連続したページで穴あきシートが選択されると、選択を禁止し、穴あきシート間に穴なしシートが必要であることを表示して、印刷が開始される以前に告知される（図８のステップＳ１０〜ステップＳ１３参照）。
【００３０】
穴あきシート設定が済み、印刷が開始されると、複写機本体１の図示しない排紙センサがシートを検出し、シートがシート後処理装置２の入口ローラ２０２に受け入れられる以前に、シートデータが複写機本体１からシート後処理装置２に送られる。このシートデータには、シートのサイズ、形態（穴あきの有無）等が含まれており、１枚ずつ送られてくる。
【００３１】
シートデータに基づき、シート後処理装置２は、シートデータに合わせた制御を行なっている。例えば、シートデータに穴あきシートである情報が含まれていた場合は、シートをシート後処理装置２の図示しない入口センサが検出した時に分岐爪２５１を図示しないソレノイドにより切換え、シートがプレスタック搬送経路２５０に受け入れられるように準備され、前述したように、次のシートと下流で重ね合わされた状態で第２のステイプル搬送経路２４０ｂへ送り込まれる。
【００３２】
以上説明したように、本実施形態では、穴あきシートをプレスタック搬送経路２５０に導き、前記穴あきシートに続いて装置内に導入される穴なしシートを第１のステイプル搬送経路２４０ａに導き、前記穴あきシートと前記穴なしシートとを重ね合わせた状態で第２のステイプル搬送経路２４０ｂへと導く制御を行なっており、また、第１のステイプル搬送経路２４０ａを通ったシートがステイプラトレイ４０２内で上側にスタックされるように、プレスタック搬送経路２５０が配置されている。したがって、大きな穴があいているシートにおいても引っ掛かりを防止して、シートの無駄を無くすことができる。
【００３３】
また、本実施形態において、プレスタック搬送経路２５０は、第２のステイプル搬送経路２４０ｂでシートに後処理が施されている間に装置内に導入されるシートを一時的にスタックしておく機能を有している。このように既設の構成を利用することにより、省部品化を図ることができる。
【００３４】
また、本実施形態においては、シートの穴あきの有無を指定できる操作が可能な操作パネル５１０が設けられ、また、穴あきシートが装置内に連続して導入されることを禁止する表示が出されるようになっている。そのため、使用者が事前に禁止項目を認識でき、使用中に失敗に気付いてやり直すことにより、シート及び時間の無駄を無くすことができる。
【図面の簡単な説明】
【００３５】
【図１】本発明の一実施形態に係るシート処理装置の全体構成図である。
【図２】大きな穴があいたシートの一例を示す平面図である。
【図３】穴なしシートのプレスタック搬送経路使用時の概念図である。
【図４】穴あきシートのプレスタック搬送経路使用時の概念図である。
【図５】操作パネルの画面表示の一例を示す一連の図である。
【図６】操作パネルの画面表示の一例を示す一連の図である。
【図７】本発明の一実施形態に係るシート処理装置の動作のフローチャートである。
【図８】本発明の一実施形態に係るシート処理装置の動作のフローチャートである。
【符号の説明】
【００３６】
２４０ａ  第１のステイプル搬送経路（第１の搬送経路）
２４０ｂ  第２のステイプル搬送経路（第３の搬送経路）
２５０    プレスタック搬送経路（第２の搬送経路）
４０２    ステイプラトレイ
Ａ        シート処理装置
【図１】
2006062813.tif 000003
【図２】
2006062813.tif 000004
【図３】
2006062813.tif 000005
【図４】
2006062813.tif 000006
【図５】
2006062813.tif 000007
【図６】
2006062813.tif 000008
【図７】
2006062813.tif 000009
【図８】
2006062813.tif 000010